(57)【特許請求の範囲】
【請求項１】
つば部と、該つば部から突出して形成された操作面とを有する移動部材と、前記操作面を露出するための開口部を有する抑え板とを具備する押しボタン構造において、
前記抑え板の裏面には前記移動部材のつば部表面と接触する前記開口部の開口縁に沿った突条である突部が形成され、
前記突条に沿って尖端部が突出し、
前記操作面から押しボタン操作の方向に伸びた筒部と、
前記移動部材の前記筒部の内部に嵌め込まれる支柱部を具備する支持部材とを備え、
前記支持部材の底面に孔を設け、
前記支柱部は、前記移動部材の移動方向に貫通する、発光体を配設可能な貫通孔を有することを特徴とする押しボタン構造。
【請求項２】
押しボタン操作を行うための操作面と、
該操作面から押しボタン操作の方向に伸びた筒部と、
前記操作面と前記筒部の間に設けられたつば部とを有する移動部材と、
該移動部材の操作面を露出させるための開口部を有する抑え板と、
前記移動部材の前記筒部の内部に嵌め込まれる支柱部を具備する支持部材と、
前記移動部材の移動によって所定の変化を発生するスイッチ機能部と、
押しボタン操作後に前記移動部材を元の位置に戻す付勢部材とを具備し、
前記抑え板の裏面には前記移動部材のつば部表面と接触する前記開口部の開口縁に沿った尖端部が突出している突条である突部が形成され、
前記支柱部は前記移動部材が押しボタン操作により移動するためのガイドとなり、前記移動部材の筒部の外周を包囲して空間部が設けられ、
前記支柱部は、前記移動部材の移動方向に貫通する、発光体を配設可能な貫通孔を有することを特徴とする押しボタン構造。
【請求項３】
前記支持部材の底面に孔を設けたことを特徴とする請求項２に記載の押しボタン構造。
【請求項４】
前記スイッチ機能部は、前記移動部材の移動により、光路が遮断されるフォトセンサを具備することを特徴とする請求項２または３のいずれか記載の押しボタン構造。
【請求項５】
前記スイッチ機能部は、前記移動部材の移動により、接点が接触する通電手段を具備することを特徴とする請求項２から４のいずれか記載の押しボタン構造。
【発明の詳細な説明】
【０００１】
【発明の属する技術分野】
本発明は、器具又は機器に配置される押しボタン構造に関し、特に、操作に敏捷性を必要とする機器に配置される押しボタン構造に関する。
【０００２】
【従来の技術】
スロットマシン等の遊技機においては、複数のリールの回転は遊技者のボタン操作に基づいて停止するが、一瞬の遅れで入賞を逃したりすることがあるので、敏捷なボタン操作がゲームの結果を左右する。
【０００３】
しかしながら、遊技場などでは、飲食しながら遊技をしたり、汚れた手でボタン操作をしたりするので、ボタンの隙間に飲食物が入り込んだり、手の汚れがボタンの周囲にこびりついたり、虫等の死骸がボタンの隙間に詰まったりして、ボタン操作が円滑に行えなくなることがよくある。このように、汚れによりボタン操作が円滑に行えなくなると、押しボタン装置を遊技機から取り外し、洗浄しなければならない。このような遊技機の維持管理には、手間及び費用がかかるばかりでなく、遊技機の管理に目が届かないときは、そのような遊技機を遊技者は敬遠するので、稼働率が低下することになる。このような障害が生じないように、従来、押しボタンにつば部を設け、つば部を抑え板で覆うことにより、押しボタンと支持部材の隙間に異物が入り込まないようにしていた。
【０００４】
【発明が解決しようとする課題】
しかしながら、移動部材につば部を設け、抑え板で覆うようにした場合、飲食物がこぼれたりすると、つば部と抑え板の間隙に飲食物がにじみ込み、つば部の上面と抑え板の裏面が粘着し、押しボタン操作に常時より大きな力を必要とする等の障害が発生する。
【０００５】
本発明は、飲食物がこぼれたり、汚れた手で操作したりしても、ボタン操作に障害が発生しない押しボタン構造を提供することにある。
【０００６】
【課題を解決するための手段】
本発明の第１の態様によれば、つば部と、該つば部から突出して形成された操作面とを有する移動部材と、前記操作面を露出するための開口部を有する抑え板とを具備する押しボタン構造において、前記抑え板の裏面には前記移動部材のつば部の表面と接触する突部が形成されていることを特徴とする。
【０００７】
本発明の第２の態様によれば、前記突部は、前記開口部の開口縁に沿った突条であることを特徴とする。
【０００８】
本発明の第３の態様によれば、前記突条の開口縁には、更に突出した尖端部が形成されていることを特徴とする。
【０００９】
本発明の第４の態様によれば、押しボタン構造は、押しボタン操作を行うための操作面と、該操作面から押しボタン操作の方向に伸びた筒部と、前記操作面と前記筒部の間に設けられたつば部とを有する移動部材と、該移動部材の操作面を露出させるための開口部を有する抑え板と、前記移動部材の前記筒部の内部に嵌め込まれる支柱部を具備する支持部材と、前記移動部材の移動によって所定の変化を発生するスイッチ機能部と、押しボタン操作後に前記移動部材を元の位置に戻す付勢部材とを具備し、前記抑え板の裏面には前記移動部材のつば部表面と接触する突部が形成され、前記支柱部は前記移動部材が押しボタン操作により移動するためのガイドとなり、前記移動部材の筒部の外周を包囲して空間部が設けられていることを特徴とする。
【００１０】
本発明の第５の態様によれば、前記抑え板の裏面の突部は、前記開口部の開口縁に沿った突条であることを特徴とする。
【００１１】
本発明の第６の態様によれば、前記突条から尖端部が突出していることを特徴とする。
【００１２】
本発明の第７の態様によれば、前記支柱部は、前記移動部材の移動方向に貫通する貫通孔を有することを特徴とする。
【００１３】
本発明の第８の態様によれば、前記スイッチ機能部は、前記移動部材の移動により、光路が遮断される光センサを具備することを特徴とする。
【００１４】
本発明の第９の態様によれば、前記スイッチ機能部は、前記移動部材の移動により、接点が接触する通電手段を具備することを特徴とする。
【００１５】
【作用及び効果】
抑え板の開口部から移動部材の操作面は露出する。抑え板の裏面には、突起が設けられているので、抑え板は、つば部に密着しない。従って、飲食物がこぼれても、つば部と抑え板が粘着しないので、押しボタン操作に障害が発生しない。突起を開口部の開口縁に突条として形成すれば、移動部材の操作面を操作する力がつば部と抑え板の接触部に均等にかかり、例えこの突条とつば部が粘着していても僅かな力で粘着部が離れ、移動部材は移動することができる。開口縁に設けた突条から更に突出する尖端部を設けることによりつば部との接触部を更に小さくすることができる。
【００１６】
本発明の第４の態様において、上記押しボタン構造の利点に加えて以下に述べる利点がある。即ち、支持部材の支柱が移動部材の筒部内部に嵌め込まれると、筒部の内周面は支柱の外周面に面するので、各面は外部と隔離される。従って、遊技者が飲食物をこぼしたりしても、各面の間に異物が入り込むことがない。支柱が移動部材の移動のためのガイドの機能を果たす。ガイドである故に、筒部の内周面と支柱の外周面との間隙は、移動のために必要ではあるが、移動部材が大きく振れたりせず、安定を保持できる程度の間隙である。また、従来の押しボタン構造と反対に、積極的に、筒部の外周を包囲する空間部を設けてあるので、こぼれた飲食物又は虫の死骸等は、移動部材の外面を滑り落ち又は流れ落ちるので、押しボタン操作に支障が生じることがない。移動部材の移動により所定の変化を生ずるスイッチ機能部が設けられ、移動部材の円滑な移動によりスイッチ機能部は円滑にスイッチ機能を果たすことができる。
【００１７】
支柱部に貫通孔を設けることにより、その貫通孔を貫通して、ＬＥＤ等の発光体を移動部材内部に配設することができ、操作面を発光させることができる。
【００１８】
スイッチ機能部に、移動部材の移動により光路の遮断される光センサを設けたり、又は、移動部材の移動により接点が接触する通電手段を設けることにより、本発明の押しボタン構造は、有効な押しボタン動作を発生させることができる。
【００１９】
【発明の実施の形態】
図１は、本発明の押しボタン構造の一実施例の斜視図である。図２は、図１の押しボタン構造の抑え板を取り外した斜視図、図３は、取り外された抑え板の裏面を上に向けた斜視図である。
【００２０】
押しボタン構造１０は、操作面１１ａを有する３個の移動部材１１と、各移動部材を収納する箱形状の支持部材１３と、支持部材１３の上部を覆う抑え板１５と、支持部材１３の内部に収納された後述のスイッチ機能部とを具備する。
【００２１】
図２に示すように、抑え板１５を取り外すと、移動部材１１は操作面１１ａの下方に水平に広がったつば部１１ｂを有し、支持部材１３に配置されている。従って、図１に示した組立てられ使用される状態において、つば部１１ｂ表面は、前記抑え板１５の裏面に相対している。
【００２２】
図３に示すように、抑え板１５の裏面は、移動部材１１の操作面１１ａを露出させるための各開口部１５ａの開口縁に沿った突条１５ｂが形成されている。
【００２３】
図４は、抑え板１５の開口部１５ａ付近の断面図である。前記突条１５ｂには更に突出した尖端部１５ｃが開口縁に沿って形成されている。
【００２４】
図５は、移動部材１１の外観を示す斜視図である。移動部材１１は前記つば部１１ｂの下方に筒部１１ｃを有している。図６は、移動部材１１のつば部１１ｂを抑え板１５で抑えた状態の断面図である。
【００２５】
図１の押しボタン構造では、抑え板１５の裏面には突条１５ｂが形成されているので、この突条１５ｂの先端面が移動部材１１のつば部１１ｂの表面と接触する。図４に示したように、突条１５ｂには更に突出した尖端部１５ｃが開口縁に沿って形成されているので、図６に示すように、この実施例においては、尖端部１５ｃの端部だけが移動部材１１のつば部１１ｂの表面と接触している。従って、この部分が汚染されて粘着しても、粘着面積が非常に狭いので、僅かな力で離反することができる。
【００２６】
図７は、従来の抑え板１５’の開口部１５ａ’付近の断面図であるが、従来の抑え板１５’の裏面には突起が形成されていない。従って、図８に断面図で示すように、移動部材１１のつば部１１ｂの全表面が抑え板１５’と接触することとなり、前記のように汚染されると全接触面が粘着することになるので、離反させるのに相当大きな力を必要とし、ボタン操作を円滑に行えなくなる。
【００２７】
図９は、スイッチ機能を果たすように構成された移動部材１１、支持部材１３及び抑え板１５を含む構造の断面図である。移動部材１１は、つば部１１ｂの裏面から延びた舌片状の光遮蔽部１１ｄを有する。支持部材１３には、移動部材１１の筒部１１ｃが余裕を持って嵌め込まれる凹部１３ｂと、凹部１３ｂの底部中央から突出した円柱部１３ｄと、移動部材１１の光遮蔽部１１ｄが貫通する孔１３ｃが形成されている。円柱部１３ｄの外径は、筒部１１ｃの内径よりやや小さく、円柱部１３ｄに嵌め込まれた筒部１１ｃは、操作面１１ａを押圧操作すると、円柱部１３ｄに沿って円滑に且つ大きく振れずに移動可能である。即ち、円柱部１３ｄは、移動部材１１の移動のガイドとしての機能を果たす。
【００２８】
支持部材１３の凹部１３ｂの中の円柱部１３ｄに、移動部材１１の筒部１１ｃにコイルスプリング１７を巻装して嵌め込み、光遮蔽部１１ｄを前記孔１３ｃに貫通させる。つば部１１ｂの表面を抑え板１５で抑えることにより、移動部材１１は、上方に付勢された状態で、抑え板１５により係止される。
【００２９】
図１０は、上記の押しボタン構造において、移動部材１１の光遮蔽部１１ｄの移動によりスイッチ機能を果たす部材が配置された基板２０の斜視図である。基板２０の上面には、スイッチ機能部として凹形状のフォトセンサ２２が設置され、下面には必要な配線（図示省略）が設けられている。フォトセンサ２２は、向かい合った２つの直立部の一方に発光部２２ａを、他方に受光部２２ｂをそれぞれ配置し、投光部２２ａから受光部２２ｂへ向かう光軸を備えている。この光軸は、上記光遮蔽部１１ｄがフォトセンサ２２の向かい合った２つの直立部の間に入ると遮断される。なお、基板２０には、押しボタン部を点灯させる発光ダイオード（ＬＥＤ）２４等の発光部材を立設することもできる。
【００３０】
以上の構成において、移動部材１１の操作面１１ａが、コイルスプリング１７の持ち上げる力に抗して押し下げられると、移動部材１１の光遮蔽部１１ｄも下方に移動する。その移動した位置に前記フォトセンサ２２の光軸が形成されているので、光軸は光遮蔽部１１ｄにより遮断される。その結果、フォトセンサ２２からの信号が変化する。押圧する力を排除すると、コイルスプリング１７の復元力により、移動部材１１は元の位置に戻り、光遮蔽部１１ｄが上方へ移動するので、フォトセンサ２２からの信号は元に戻る。かくして、光遮蔽部１１ｄとフォトセンサ２２とで、押しボタンに連動したスイッチを構成している。
【００３１】
上記の支持部材１３の凹部１３ｂは、移動部材１１の筒部１１ｃの外径よりかなり広い内径を有し、凹部１３ｂ内に空間部が形成される。この空間部にコイルスプリング１７が配置されるが、空間部は更に余裕のある広さである。このような空間部は飲食物等の汚染物質が紛れ込んだ際の通路になり、凹部１３ｂの底面に、排出するための孔が複数形成されるならば、紛れ込んだ飲食物等の汚染物質を排除することができる。
【００３２】
図９に示すように、支持部材１３の凹部１３ｂの中央から突出する円柱部１３ｄに貫通孔１３ｅが設けられているならば、上記の基板２０に立設された発光ダイオード２４などの発光部材を挿入して配置し、移動部材１１の操作面１１ａを発光させることができる。
【００３３】
操作面１１ａを押すと、移動部材１１は下方へ移動する。このとき、筒部１１ｃ内部に位置する支持部材１３の円柱部１３ｄが、ガイドとなり、移動部材１１の上下動の安定性を保障する。円柱部１３ｄに沿って、筒部１１ｃは下方へ円滑に移動できる。
【００３４】
スイッチ機能部として、押しボタン操作により、接点が接触する通電手段、例えばリーフスイッチを用いることもできる。
【図面の簡単な説明】
【図１】本発明の押しボタン構造の実施例の斜視図。
【図２】図１の実施例の抑え板を外した斜視図。
【図３】図１の実施例の抑え板の裏面の斜視図。
【図４】図１の実施例の抑え板の一部の断面図。
【図５】図１の実施例の移動部材の斜視図。
【図６】図１の実施例の抑え板と移動部材の組合せの断面図。
【図７】従来の抑え板の断面図。
【図８】従来の抑え板と図５の移動部材の組合せの断面図。
【図９】図１の実施例のスイッチ機能部を省略した断面図。
【図１０】図１の実施例のスイッチ機能部の一例の斜視図。
【符号の説明】
１０…押しボタン構造、１１…移動部材、１１ａ…操作面、１１ｂ…つば部、１１ｃ…筒部、１１ｄ…光遮蔽部、１３…支持部材、１３ｂ…凹部、１３ｃ…孔、１３ｄ…円柱部、１３ｅ…貫通孔、１５…抑え板、１５ａ…開口部、１５ｂ…突条、１５ｃ…尖端部、１７…コイルスプリング、２０…基板、２２…フォトセンサ、２２ａ…投光部、２２ｂ…受光部、２４…発光ダイオード。
【図１】
0003819123.tif 000002
【図２】
0003819123.tif 000003
【図３】
0003819123.tif 000004
【図４】
0003819123.tif 000005
【図５】
0003819123.tif 000006
【図６】
0003819123.tif 000007
【図７】
0003819123.tif 000008
【図８】
0003819123.tif 000009
【図９】
0003819123.tif 000010
【図１０】
0003819123.tif 000011